(57)【要約】【課題】本発明は回転できる水晶ランプを開示した。【解決手段】ランプベース及び前記ランプベースの上端面の水晶ランプを含み、前記ランプベースの上側には支持ブロックが設置され、前記ランプベースの上端面には前記支持ブロックを支持する支持柱が設置され、前記水晶ランプの上側には水晶ランプシェードが設置され、前記支持ブロックの中には駆動チャンバが設置され、前記駆動チャンバの中には前記水晶ランプシェードを制御して回転させる回転機構が設置され、前記回転機構は下端が前記水晶ランプシェードと連結された連結ロッドを含み、本発明は作動する時、水晶ランプシェードの運動方式を自動的に切り替えることができ、これにより異なる照明効果を得られ、水晶ランプの実用性と興趣性を高め、機械の伝動により、作動効率を向上させることもできる。【選択図】図１
2020177897.tif 000002
【特許請求の範囲】
【請求項１】
正面視で、ランプベース及び前記ランプベースの上端面の水晶ランプを含み、前記ランプベースの上側には支持ブロックが設置され、前記ランプベースの上端面には前記支持ブロックを支持する支持柱が設置され、前記水晶ランプの上側には水晶ランプシェードが設置され、前記支持ブロックの中には駆動チャンバが設置され、前記駆動チャンバの中には前記水晶ランプシェードを制御して回転させる回転機構が設置され、前記回転機構は下端が前記水晶ランプシェードと連結された連結ロッドを含み、前記駆動チャンバの下端壁の中には外部空間と前記駆動チャンバとを連通しているボール溝が設置され、前記ボール溝の中には前記連結ロッドに貫通されているボールが設置され、前記駆動チャンバの上端壁の中には下方へ開口した二つのバネ溝が設置され、前記バネ溝の中には下端が前記駆動チャンバの中に位置しているバネブロックが設置され、前記駆動チャンバの中には第一ベルトにより互いに連結された二つの第一ベルトプーリが設置され、前記連結ロッドの上端と右側の前記第一ベルトプーリとが摩擦伝動を行い、前記第一ベルトプーリの中には円形溝が設置され、前記バネブロックの下端が前記円形溝の上端壁を貫通しており、且つ前記円形溝の中に位置しており、前記バネブロックの下端には前記第一ベルトプーリを支持できる一つの円盤が固定され、前記駆動チャンバの中には装置全体に動力を提供する伝動機構が設置され、前記伝動機構はモータと、前記モータと動力が伝達できるように連結された伝動軸とを含み、前記伝動軸には右端が前記連結ロッドに貫通された一つの移動板がスライドできるように連結され、前記移動板の中には前記伝動軸に貫通された貫通孔が設置され、前記伝動孔の中には前記伝動軸とスライドできるように連結され、且つ前記移動板を左右へ運動させることができるカムが設置され、前記カムの中には前記貫通孔に連通している受け溝が設置され、前記伝動軸の中には前記駆動チャンバに連通しているフラットキー溝が設置され、前記フラットキー溝の中には左端が前記駆動チャンバの中に位置しており、且つ下端が運動により前記受け溝の中に位置することができるフラットキーが設置され、前記駆動チャンバの中には昇降板が設置され、前記昇降板の中には前記伝動軸に貫通された貫通溝が設置され、前記フラットキーの上端には上端が前記貫通溝を貫通している連結柱が設置され、前記連結柱の上端には前記フラットキーが下方へ運動することを制限するリミットブロックが設置され、前記駆動チャンバの後端壁には前記伝動軸に貫通されており、且つ前記移動板を支持する支持板が固定され、装置全体の作用は前記第一ベルトプーリを制御して回転させ、これにより前記連結ロッドと前記水晶ランプシェードとを制御して回転させ、又は前記移動板を引き動かし、これにより前記水晶ランプシェードの角度を変化させることであることを特徴とする回転できる水晶ランプ。
【請求項２】
前記回転機構はまた、左側の前記第一ベルトプーリの中に位置しており、且つ下方へ開口した収納溝を含み、前記収納溝の左右端壁の中にはいずれも押し出し溝が設置され、前記押し出し溝の中にはいずれも台形ブロックと、前記台形ブロックを復帰させることができる押し出しバネが設置され、前記伝動軸の上端が前記収納溝の中に位置しており、且つ前記伝動軸の上端には前記台形ブロックを収納できる二つの伝動溝が設置され、前記バネ溝の中には前記バネブロックを復帰させることができる伸縮バネが設置され、前記回転機構の作用は右側の前記第一ベルトプーリの回転を制御することにより、摩擦伝動を通じて動力を前記連結ロッドに伝達し、これにより前記水晶ランプシェードの回転を制御することであることを特徴とする請求項１に記載の回転できる水晶ランプ。
【請求項３】
前記伝動機構はまた、上端が前記駆動チャンバの上端壁と連結された従動軸を含み、前記従動軸の下端には第二ベルトプーリが設置され、前記伝動軸の上端には前記第二ベルトプーリと第二ベルトにより連結された第三ベルトプーリが設置され、前記昇降板の左端には昇降ロッドが設置され、前記昇降ロッドの上端には連結板が設置され、前記連結板の上側には前記連結板を復帰させることができる圧縮バネが設置され、前記第二ベルトプーリの上側には前記従動軸とスライドできるように連結され、且つ前記連結板と右側の前記第一ベルトプーリの昇降を制御できる斜面円柱が設置され、前記斜面円柱の中には前記駆動チャンバに連通している弧状溝が設置され、前記駆動チャンバの後端壁には前端が前記弧状溝の中に位置しているリミットロッドが設置され、前記伝動機構の作用は装置全体の作動に動力を提供することであることを特徴とする請求項１に記載の回転できる水晶ランプ。
【発明の詳細な説明】
【技術分野】
【０００１】
本発明は水晶ランプ分野を取り上げて、具体的には回転できる水晶ランプである。
【背景技術】
【０００２】
現在、一部の水晶ランプの上側には水晶ランプシェードが設置され、これにより水晶ランプのライトが異なる光と影の効果をもたらすが、このような水晶ランプシェードを回転させる時に一般的に人で操作する必要があり、そうすると光と影を変化させることができ、しかし、その作業は一定の労力を消耗し、しかも水晶ランプシェードと水晶ランプとの間の角度を変える時にも人で操作する必要がある。
【先行技術文献】
【特許文献】
【０００３】
【特許文献１】中国特許出願公開第１０７０１３８８１号明細書
【発明の概要】
【発明が解決しようとする課題】
【０００４】
本発明は回転できる水晶ランプを提供し、上記背景技術において提出した問題を解決することを目的とする。
【課題を解決するための手段】
【０００５】
上記の目的を実現するために、本発明は以下の技術プランを提供する：回転できる水晶ランプは、ランプベース及び前記ランプベースの上端面の水晶ランプを含み、前記ランプベースの上側には支持ブロックが設置され、前記ランプベースの上端面には前記支持ブロックを支持する支持柱が設置され、前記水晶ランプの上側には水晶ランプシェードが設置され、前記支持ブロックの中には駆動チャンバが設置され、前記駆動チャンバの中には前記水晶ランプシェードを制御して回転させる回転機構が設置され、前記回転機構は下端が前記水晶ランプシェードと連結された連結ロッドを含み、前記駆動チャンバの下端壁の中には外部空間と前記駆動チャンバとを連通しているボール溝が設置され、前記ボール溝の中には前記連結ロッドに貫通されているボールが設置され、前記駆動チャンバの上端壁の中には下方へ開口した二つのバネ溝が設置され、前記バネ溝の中には下端が前記駆動チャンバの中に位置しているバネブロックが設置され、前記駆動チャンバの中には第一ベルトにより互いに連結された二つの第一ベルトプーリが設置され、前記連結ロッドの上端と右側の前記第一ベルトプーリとが摩擦伝動を行い、前記第一ベルトプーリの中には円形溝が設置され、前記バネブロックの下端が前記円形溝の上端壁を貫通しており、且つ前記円形溝の中に位置しており、前記バネブロックの下端には前記第一ベルトプーリを支持できる一つの円盤が固定され、前記駆動チャンバの中には装置全体に動力を提供する伝動機構が設置され、前記伝動機構はモータと、前記モータと動力が伝達できるように連結された伝動軸とを含み、前記伝動軸には右端が前記連結ロッドに貫通された一つの移動板がスライドできるように連結され、前記移動板の中には前記伝動軸に貫通された貫通孔が設置され、前記伝動孔の中には前記伝動軸とスライドできるように連結され、且つ前記移動板を左右へ運動させることができるカムが設置され、前記カムの中には前記貫通孔に連通している受け溝が設置され、前記伝動軸の中には前記駆動チャンバに連通しているフラットキー溝が設置され、前記フラットキー溝の中には左端が前記駆動チャンバの中に位置しており、且つ下端が運動により前記受け溝の中に位置することができるフラットキーが設置され、前記駆動チャンバの中には昇降板が設置され、前記昇降板の中には前記伝動軸に貫通された貫通溝が設置され、前記フラットキーの上端には上端が前記貫通溝を貫通している連結柱が設置され、前記連結柱の上端には前記フラットキーが下方へ運動することを制限するリミットブロックが設置され、前記駆動チャンバの後端壁には前記伝動軸に貫通されており、且つ前記移動板を支持する支持板が固定され、装置全体の作用は前記第一ベルトプーリを制御して回転させ、これにより前記連結ロッドと前記水晶ランプシェードとを制御して回転させ、又は前記移動板を引き動かし、これにより前記水晶ランプシェードの角度を変化させることである。
【０００６】
好ましくは、前記回転機構はまた、左側の前記第一ベルトプーリの中に位置しており、且つ下方へ開口した収納溝を含み、前記収納溝の左右端壁の中にはいずれも押し出し溝が設置され、前記押し出し溝の中にはいずれも台形ブロックと、前記台形ブロックを復帰させることができる押し出しバネが設置され、前記伝動軸の上端が前記収納溝の中に位置しており、且つ前記伝動軸の上端には前記台形ブロックを収納できる二つの伝動溝が設置され、前記バネ溝の中には前記バネブロックを復帰させることができる伸縮バネが設置され、前記回転機構の作用は右側の前記第一ベルトプーリの回転を制御することにより、摩擦伝動を通じて動力を前記連結ロッドに伝達し、これにより前記水晶ランプシェードの回転を制御することである。
【０００７】
好ましくは、前記伝動機構はまた、上端が前記駆動チャンバの上端壁と連結された従動軸を含み、前記従動軸の下端には第二ベルトプーリが設置され、前記伝動軸の上端には前記第二ベルトプーリと第二ベルトにより連結された第三ベルトプーリが設置され、前記昇降板の左端には昇降ロッドが設置され、前記昇降ロッドの上端には連結板が設置され、前記連結板の上側には前記連結板を復帰させることができる圧縮バネが設置され、前記第二ベルトプーリの上側には前記従動軸とスライドできるように連結され、且つ前記連結板と右側の前記第一ベルトプーリの昇降を制御できる斜面円柱が設置され、前記斜面円柱の中には前記駆動チャンバに連通している弧状溝が設置され、前記駆動チャンバの後端壁には前端が前記弧状溝の中に位置しているリミットロッドが設置され、前記伝動機構の作用は装置全体の作動に動力を提供することである。
【発明の効果】
【０００８】
本発明の有益効果は：本発明は構成が簡単で、操作が便利で、水晶ランプシェードの運動方式を自動的に切り替えることができ、これにより異なる照明効果を得られ、水晶ランプの実用性と興趣性を高め、機械の伝動により、作動効率を向上させることもできる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の回転できる水晶ランプの全体断面の正面構成模式図
【図２】図２は本発明の回転できる水晶ランプの従動軸の構造の全断面の左側面の拡大模式図
【図３】図３は本発明の回転できる水晶ランプの回転機構の部分断面の正面拡大構成模式図
【図４】図４は本発明の回転できる水晶ランプの伝動機構の部分断面の正面拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明が提供する実施例は：回転できる水晶ランプは、ランプベース１及び前記ランプベース１の上端面の水晶ランプ２４を含み、前記ランプベース１の上側には支持ブロック４が設置され、前記ランプベース１の上端面には前記支持ブロック４を支持する支持柱２が設置され、前記水晶ランプ２４の上側には水晶ランプシェード２３が設置され、前記支持ブロック４の中には駆動チャンバ２０が設置され、前記駆動チャンバ２０の中には前記水晶ランプシェード２３を制御して回転させる回転機構４４が設置され、前記回転機構４４は下端が前記水晶ランプシェード２３と連結された連結ロッド１８を含み、前記駆動チャンバ２０の下端壁の中には外部空間と前記駆動チャンバ２０とを連通しているボール溝４５が設置され、前記ボール溝４５の中には前記連結ロッド１８に貫通されているボール２１が設置され、前記駆動チャンバ２０の上端壁の中には下方へ開口した二つのバネ溝１３が設置され、前記バネ溝１３の中には下端が前記駆動チャンバ２０の中に位置しているバネブロック１４が設置され、前記駆動チャンバ２０の中には第一ベルト１１により互いに連結された二つの第一ベルトプーリ１７が設置され、前記連結ロッド１８の上端と右側の前記第一ベルトプーリ１７とが摩擦伝動を行い、前記第一ベルトプーリ１７の中には円形溝１６が設置され、前記バネブロック１４の下端が前記円形溝１６の上端壁を貫通しており、且つ前記円形溝１６の中に位置しており、前記バネブロック１４の下端には前記第一ベルトプーリ１７を支持できる一つの円盤１５が固定され、前記駆動チャンバ２０の中には装置全体に動力を提供する伝動機構４３が設置され、前記伝動機構４３はモータ２２と、前記モータ２２と動力が伝達できるように連結された伝動軸２３とを含み、前記伝動軸２３には右端が前記連結ロッド１８に貫通された一つの移動板１９がスライドできるように連結され、前記移動板１９の中には前記伝動軸２３に貫通された貫通孔２９が設置され、前記伝動孔２９の中には前記伝動軸２３とスライドできるように連結され、且つ前記移動板１９を左右へ運動させることができるカム３０が設置され、前記カム３０の中には前記貫通孔２９に連通している受け溝３１が設置され、前記伝動軸３３の中には前記駆動チャンバ２０に連通しているフラットキー溝３２が設置され、前記フラットキー溝３２の中には左端が前記駆動チャンバ２０の中に位置しており、且つ下端が運動により前記受け溝３１の中に位置することができるフラットキー２５が設置され、前記駆動チャンバ２０の中には昇降板５が設置され、前記昇降板５の中には前記伝動軸３３に貫通された貫通溝４６が設置され、前記フラットキー２５の上端には上端が前記貫通溝４６を貫通している連結柱３５が設置され、前記連結柱３５の上端には前記フラットキー２５が下方へ運動することを制限するリミットブロック３４が設置され、前記駆動チャンバ２０の後端壁には前記伝動軸３３に貫通されており、且つ前記移動板１９を支持する支持板３が固定され、装置全体の作用は前記第一ベルトプーリ１７を制御して回転させ、これにより前記連結ロッド１８と前記水晶ランプシェード２３とを制御して回転させ、又は前記移動板１９を引き動かし、これにより前記水晶ランプシェード２３の角度を変化させることである。
【００１３】
有益的には、前記回転機構４４はまた、左側の前記第一ベルトプーリ１７の中に位置しており、且つ下方へ開口した収納溝４２を含み、前記収納溝４２の左右端壁の中にはいずれも押し出し溝３９が設置され、前記押し出し溝３９の中にはいずれも台形ブロック４１と、前記台形ブロック４１を復帰させることができる押し出しバネ４０が設置され、前記伝動軸３３の上端が前記収納溝４２の中に位置しており、且つ前記伝動軸３３の上端には前記台形ブロック４２を収納できる二つの伝動溝３８が設置され、前記バネ溝１３の中には前記バネブロック１４を復帰させることができる伸縮バネ１２が設置され、前記回転機構４４の作用は右側の前記第一ベルトプーリ１７の回転を制御することにより、摩擦伝動を通じて動力を前記連結ロッド１８に伝達し、これにより前記水晶ランプシェード２３の回転を制御することである。
【００１４】
有益的には、前記伝動機構４３はまた、上端が前記駆動チャンバ２０の上端壁と連結された従動軸１０を含み、前記従動軸１０の下端には第二ベルトプーリ２６が設置され、前記伝動軸３３の上端には前記第二ベルトプーリ２６と第二ベルト３７により連結された第三ベルトプーリ３６が設置され、前記昇降板５の左端には昇降ロッド６が設置され、前記昇降ロッド６の上端には連結板８が設置され、前記連結板８の上側には前記連結板８を復帰させることができる圧縮バネ９が設置され、前記第二ベルトプーリ２６の上側には前記従動軸１０とスライドできるように連結され、且つ前記連結板８と右側の前記第一ベルトプーリ１７の昇降を制御できる斜面円柱７が設置され、前記斜面円柱７の中には前記駆動チャンバ２０に連通している弧状溝２８が設置され、前記駆動チャンバ２０の後端壁には前端が前記弧状溝２８の中に位置しているリミットロッド２７が設置され、前記伝動機構４３の作用は装置全体の作動に動力を提供することである。
【００１５】
以下、出願人は付図１〜４及び上記の本出願の回転できる水晶ランプの具体的な構成を参照して本出願の回転できる水晶ランプの使用方法を詳しく紹介する：
【００１６】
水晶ランプシェード２３を回転させる時、モータ２２が作動して伝動軸３３を連動させて時計回りに回転させ、フラットキー２５の下端が受け溝３１の中に位置していなく、台形ブロック４１の一端が伝動溝３８の中に位置しており、伝動軸３３の回転が第三ベルトプーリ３６と左側の第一ベルトプーリ１７とを連動させて回転させ、第二ベルト３７と第一ベルト１１の伝動により、第二ベルトプーリ２６と右側の第一ベルトプーリ１７とを回転させ、第二ベルトプーリ２６が従動軸１０を連動させて回転させ、リミットロッド２７の制限により、斜面円柱７が回転しなく、右側の第一ベルトプーリ１７の回転が連結ロッド１８を連動させて回転させ、これにより水晶ランプシェード２３を連動させて回転させる。
【００１７】
水晶ランプシェード２３が水晶ランプ２４との角度を変える時、モータ２２が作動して伝動軸３３を連動させて反時計回りに回転させ、第三ベルトプーリ３６が第二ベルトプーリ２６を連動させて反時計回りに回転させ、これにより斜面円柱７を連動させて回転させ、これにより左側の第一ベルトプーリ１７を上昇させ、伸縮バネ１２が圧縮され、連結板８が下降し、圧縮バネ９が復帰し、連結板８の下降が昇降ロッド６と昇降板５とを下降させ、これによりフラットキー２５を下方へ運動させ、フラットキー２５と受け溝３１とが同じ水平線に位置する時、フラットキー２５の下端が受け溝３１の中に入り、リミットロッド２７が再び弧状溝２８の端壁と接触する時、斜面円柱７が回転しなくなり、伝動軸３３の回転はフラットキー２５の伝動によりカム３０を回転させ、これにより移動板１９を左右運動させ、これにより連結ロッド１８の上端が一定の角度回転し、これにより水晶ランプシェード２３と水晶ランプ２４との間の角度を調整し、復帰する時にモータ２２が逆方向へ作動すれば装置全体を復帰させることができる。
【００１８】
本発明の有益効果は：本発明は構成が簡単で、操作が便利で、水晶ランプシェードの運動方式を自動的に切り替えることができ、これにより異なる照明効果を得られ、水晶ランプの実用性と興趣性を高め、機械の伝動により、作動効率を向上させることもできる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020177897.tif 000003
【図２】
2020177897.tif 000004
【図３】
2020177897.tif 000005
【図４】
2020177897.tif 000006
【手続補正書】
【提出日】令和1年11月7日(2019.11.7)
【手続補正１】
【補正対象書類名】特許請求の範囲
【補正対象項目名】請求項１
【補正方法】変更
【補正の内容】
【請求項１】
正面視で、ランプベース及び前記ランプベースの上端面の水晶ランプを含み、前記ランプベースの上側には支持ブロックが設置され、前記ランプベースの上端面には前記支持ブロックを支持する支持柱が設置され、前記水晶ランプの上側には水晶ランプシェードが設置され、前記支持ブロックの中には駆動チャンバが設置され、前記駆動チャンバの中には前記水晶ランプシェードを制御して回転させる回転機構が設置され、前記回転機構は下端が前記水晶ランプシェードと連結された連結ロッドを含み、前記駆動チャンバの下端壁の中には外部空間と前記駆動チャンバとを連通しているボール溝が設置され、前記ボール溝の中には前記連結ロッドに貫通されているボールが設置され、前記駆動チャンバの上端壁の中には下方へ開口した二つのバネ溝が設置され、前記バネ溝の中には下端が前記駆動チャンバの中に位置しているバネブロックが設置され、前記駆動チャンバの中には第一ベルトにより互いに連結された二つの第一ベルトプーリが設置され、前記連結ロッドの上端と右側の前記第一ベルトプーリとが摩擦伝動を行い、前記第一ベルトプーリの中には円形溝が設置され、前記バネブロックの下端が前記円形溝の上端壁を貫通しており、且つ前記円形溝の中に位置しており、前記バネブロックの下端には前記第一ベルトプーリを支持できる一つの円盤が固定され、前記駆動チャンバの中には装置全体に動力を提供する伝動機構が設置され、前記伝動機構はモータと、前記モータと動力が伝達できるように連結された伝動軸とを含み、前記伝動軸には右端が前記連結ロッドに貫通された一つの移動板がスライドできるように連結され、前記移動板の中には前記伝動軸に貫通された貫通孔が設置され、前記貫通孔の中には前記伝動軸とスライドできるように連結され、且つ前記移動板を左右へ運動させることができるカムが設置され、前記カムの中には前記貫通孔に連通している受け溝が設置され、前記伝動軸の中には前記駆動チャンバに連通しているフラットキー溝が設置され、前記フラットキー溝の中には左端が前記駆動チャンバの中に位置しており、且つ下端が運動により前記受け溝の中に位置することができるフラットキーが設置され、前記駆動チャンバの中には昇降板が設置され、前記昇降板の中には前記伝動軸に貫通された貫通溝が設置され、前記フラットキーの上端には上端が前記貫通溝を貫通している連結柱が設置され、前記連結柱の上端には前記フラットキーが下方へ運動することを制限するリミットブロックが設置され、前記駆動チャンバの後端壁には前記伝動軸に貫通されており、且つ前記移動板を支持する支持板が固定され、装置全体の作用は前記第一ベルトプーリを制御して回転させ、これにより前記連結ロッドと前記水晶ランプシェードとを制御して回転させ、又は前記移動板を引き動かし、これにより前記水晶ランプシェードの角度を変化させることであることを特徴とする回転できる水晶ランプ。
【手続補正２】
【補正対象書類名】明細書
【補正対象項目名】全文
【補正方法】変更
【補正の内容】
【発明の詳細な説明】
【技術分野】
【０００１】
本発明は水晶ランプ分野を取り上げて、具体的には回転できる水晶ランプである。
【背景技術】
【０００２】
現在、一部の水晶ランプの上側には水晶ランプシェードが設置され、これにより水晶ランプのライトが異なる光と影の効果をもたらすが、このような水晶ランプシェードを回転させる時に一般的に人で操作する必要があり、そうすると光と影を変化させることができ、しかし、その作業は一定の労力を消耗し、しかも水晶ランプシェードと水晶ランプとの間の角度を変える時にも人で操作する必要がある。
【先行技術文献】
【特許文献】
【０００３】
【特許文献１】中国特許出願公開第１０７０１３８８１号明細書
【発明の概要】
【発明が解決しようとする課題】
【０００４】
本発明は回転できる水晶ランプを提供し、上記背景技術において提出した問題を解決することを目的とする。
【課題を解決するための手段】
【０００５】
上記の目的を実現するために、本発明は以下の技術プランを提供する：回転できる水晶ランプは、ランプベース及び前記ランプベースの上端面の水晶ランプを含み、前記ランプベースの上側には支持ブロックが設置され、前記ランプベースの上端面には前記支持ブロックを支持する支持柱が設置され、前記水晶ランプの上側には水晶ランプシェードが設置され、前記支持ブロックの中には駆動チャンバが設置され、前記駆動チャンバの中には前記水晶ランプシェードを制御して回転させる回転機構が設置され、前記回転機構は下端が前記水晶ランプシェードと連結された連結ロッドを含み、前記駆動チャンバの下端壁の中には外部空間と前記駆動チャンバとを連通しているボール溝が設置され、前記ボール溝の中には前記連結ロッドに貫通されているボールが設置され、前記駆動チャンバの上端壁の中には下方へ開口した二つのバネ溝が設置され、前記バネ溝の中には下端が前記駆動チャンバの中に位置しているバネブロックが設置され、前記駆動チャンバの中には第一ベルトにより互いに連結された二つの第一ベルトプーリが設置され、前記連結ロッドの上端と右側の前記第一ベルトプーリとが摩擦伝動を行い、前記第一ベルトプーリの中には円形溝が設置され、前記バネブロックの下端が前記円形溝の上端壁を貫通しており、且つ前記円形溝の中に位置しており、前記バネブロックの下端には前記第一ベルトプーリを支持できる一つの円盤が固定され、前記駆動チャンバの中には装置全体に動力を提供する伝動機構が設置され、前記伝動機構はモータと、前記モータと動力が伝達できるように連結された伝動軸とを含み、前記伝動軸には右端が前記連結ロッドに貫通された一つの移動板がスライドできるように連結され、前記移動板の中には前記伝動軸に貫通された貫通孔が設置され、前記貫通孔の中には前記伝動軸とスライドできるように連結され、且つ前記移動板を左右へ運動させることができるカムが設置され、前記カムの中には前記貫通孔に連通している受け溝が設置され、前記伝動軸の中には前記駆動チャンバに連通しているフラットキー溝が設置され、前記フラットキー溝の中には左端が前記駆動チャンバの中に位置しており、且つ下端が運動により前記受け溝の中に位置することができるフラットキーが設置され、前記駆動チャンバの中には昇降板が設置され、前記昇降板の中には前記伝動軸に貫通された貫通溝が設置され、前記フラットキーの上端には上端が前記貫通溝を貫通している連結柱が設置され、前記連結柱の上端には前記フラットキーが下方へ運動することを制限するリミットブロックが設置され、前記駆動チャンバの後端壁には前記伝動軸に貫通されており、且つ前記移動板を支持する支持板が固定され、装置全体の作用は前記第一ベルトプーリを制御して回転させ、これにより前記連結ロッドと前記水晶ランプシェードとを制御して回転させ、又は前記移動板を引き動かし、これにより前記水晶ランプシェードの角度を変化させることである。
【０００６】
好ましくは、前記回転機構はまた、左側の前記第一ベルトプーリの中に位置しており、且つ下方へ開口した収納溝を含み、前記収納溝の左右端壁の中にはいずれも押し出し溝が設置され、前記押し出し溝の中にはいずれも台形ブロックと、前記台形ブロックを復帰させることができる押し出しバネが設置され、前記伝動軸の上端が前記収納溝の中に位置しており、且つ前記伝動軸の上端には前記台形ブロックを収納できる二つの伝動溝が設置され、前記バネ溝の中には前記バネブロックを復帰させることができる伸縮バネが設置され、前記回転機構の作用は右側の前記第一ベルトプーリの回転を制御することにより、摩擦伝動を通じて動力を前記連結ロッドに伝達し、これにより前記水晶ランプシェードの回転を制御することである。
【０００７】
好ましくは、前記伝動機構はまた、上端が前記駆動チャンバの上端壁と連結された従動軸を含み、前記従動軸の下端には第二ベルトプーリが設置され、前記伝動軸の上端には前記第二ベルトプーリと第二ベルトにより連結された第三ベルトプーリが設置され、前記昇降板の左端には昇降ロッドが設置され、前記昇降ロッドの上端には連結板が設置され、前記連結板の上側には前記連結板を復帰させることができる圧縮バネが設置され、前記第二ベルトプーリの上側には前記従動軸とスライドできるように連結され、且つ前記連結板と右側の前記第一ベルトプーリの昇降を制御できる斜面円柱が設置され、前記斜面円柱の中には前記駆動チャンバに連通している弧状溝が設置され、前記駆動チャンバの後端壁には前端が前記弧状溝の中に位置しているリミットロッドが設置され、前記伝動機構の作用は装置全体の作動に動力を提供することである。
【発明の効果】
【０００８】
本発明の有益効果は：本発明は構成が簡単で、操作が便利で、水晶ランプシェードの運動方式を自動的に切り替えることができ、これにより異なる照明効果を得られ、水晶ランプの実用性と興趣性を高め、機械の伝動により、作動効率を向上させることもできる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の回転できる水晶ランプの全体断面の正面構成模式図
【図２】図２は本発明の回転できる水晶ランプの従動軸の構造の全断面の左側面の拡大模式図
【図３】図３は本発明の回転できる水晶ランプの回転機構の部分断面の正面拡大構成模式図
【図４】図４は本発明の回転できる水晶ランプの伝動機構の部分断面の正面拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明が提供する実施例は：回転できる水晶ランプは、ランプベース１及び前記ランプベース１の上端面の水晶ランプ２４を含み、前記ランプベース１の上側には支持ブロック４が設置され、前記ランプベース１の上端面には前記支持ブロック４を支持する支持柱２が設置され、前記水晶ランプ２４の上側には水晶ランプシェード２３が設置され、前記支持ブロック４の中には駆動チャンバ２０が設置され、前記駆動チャンバ２０の中には前記水晶ランプシェード２３を制御して回転させる回転機構４４が設置され、前記回転機構４４は下端が前記水晶ランプシェード２３と連結された連結ロッド１８を含み、前記駆動チャンバ２０の下端壁の中には外部空間と前記駆動チャンバ２０とを連通しているボール溝４５が設置され、前記ボール溝４５の中には前記連結ロッド１８に貫通されているボール２１が設置され、前記駆動チャンバ２０の上端壁の中には下方へ開口した二つのバネ溝１３が設置され、前記バネ溝１３の中には下端が前記駆動チャンバ２０の中に位置しているバネブロック１４が設置され、前記駆動チャンバ２０の中には第一ベルト１１により互いに連結された二つの第一ベルトプーリ１７が設置され、前記連結ロッド１８の上端と右側の前記第一ベルトプーリ１７とが摩擦伝動を行い、前記第一ベルトプーリ１７の中には円形溝１６が設置され、前記バネブロック１４の下端が前記円形溝１６の上端壁を貫通しており、且つ前記円形溝１６の中に位置しており、前記バネブロック１４の下端には前記第一ベルトプーリ１７を支持できる一つの円盤１５が固定され、前記駆動チャンバ２０の中には装置全体に動力を提供する伝動機構４３が設置され、前記伝動機構４３はモータ２２と、前記モータ２２と動力が伝達できるように連結された伝動軸２３とを含み、前記伝動軸２３には右端が前記連結ロッド１８に貫通された一つの移動板１９がスライドできるように連結され、前記移動板１９の中には前記伝動軸２３に貫通された貫通孔２９が設置され、前記貫通孔２９の中には前記伝動軸２３とスライドできるように連結され、且つ前記移動板１９を左右へ運動させることができるカム３０が設置され、前記カム３０の中には前記貫通孔２９に連通している受け溝３１が設置され、前記伝動軸３３の中には前記駆動チャンバ２０に連通しているフラットキー溝３２が設置され、前記フラットキー溝３２の中には左端が前記駆動チャンバ２０の中に位置しており、且つ下端が運動により前記受け溝３１の中に位置することができるフラットキー２５が設置され、前記駆動チャンバ２０の中には昇降板５が設置され、前記昇降板５の中には前記伝動軸３３に貫通された貫通溝４６が設置され、前記フラットキー２５の上端には上端が前記貫通溝４６を貫通している連結柱３５が設置され、前記連結柱３５の上端には前記フラットキー２５が下方へ運動することを制限するリミットブロック３４が設置され、前記駆動チャンバ２０の後端壁には前記伝動軸３３に貫通されており、且つ前記移動板１９を支持する支持板３が固定され、装置全体の作用は前記第一ベルトプーリ１７を制御して回転させ、これにより前記連結ロッド１８と前記水晶ランプシェード２３とを制御して回転させ、又は前記移動板１９を引き動かし、これにより前記水晶ランプシェード２３の角度を変化させることである。
【００１３】
有益的には、前記回転機構４４はまた、左側の前記第一ベルトプーリ１７の中に位置しており、且つ下方へ開口した収納溝４２を含み、前記収納溝４２の左右端壁の中にはいずれも押し出し溝３９が設置され、前記押し出し溝３９の中にはいずれも台形ブロック４１と、前記台形ブロック４１を復帰させることができる押し出しバネ４０が設置され、前記伝動軸３３の上端が前記収納溝４２の中に位置しており、且つ前記伝動軸３３の上端には前記台形ブロック４２を収納できる二つの伝動溝３８が設置され、前記バネ溝１３の中には前記バネブロック１４を復帰させることができる伸縮バネ１２が設置され、前記回転機構４４の作用は右側の前記第一ベルトプーリ１７の回転を制御することにより、摩擦伝動を通じて動力を前記連結ロッド１８に伝達し、これにより前記水晶ランプシェード２３の回転を制御することである。
【００１４】
有益的には、前記伝動機構４３はまた、上端が前記駆動チャンバ２０の上端壁と連結された従動軸１０を含み、前記従動軸１０の下端には第二ベルトプーリ２６が設置され、前記伝動軸３３の上端には前記第二ベルトプーリ２６と第二ベルト３７により連結された第三ベルトプーリ３６が設置され、前記昇降板５の左端には昇降ロッド６が設置され、前記昇降ロッド６の上端には連結板８が設置され、前記連結板８の上側には前記連結板８を復帰させることができる圧縮バネ９が設置され、前記第二ベルトプーリ２６の上側には前記従動軸１０とスライドできるように連結され、且つ前記連結板８と右側の前記第一ベルトプーリ１７の昇降を制御できる斜面円柱７が設置され、前記斜面円柱７の中には前記駆動チャンバ２０に連通している弧状溝２８が設置され、前記駆動チャンバ２０の後端壁には前端が前記弧状溝２８の中に位置しているリミットロッド２７が設置され、前記伝動機構４３の作用は装置全体の作動に動力を提供することである。
【００１５】
以下、出願人は付図１〜４及び上記の本出願の回転できる水晶ランプの具体的な構成を参照して本出願の回転できる水晶ランプの使用方法を詳しく紹介する：
【００１６】
水晶ランプシェード２３を回転させる時、モータ２２が作動して伝動軸３３を連動させて時計回りに回転させ、フラットキー２５の下端が受け溝３１の中に位置していなく、台形ブロック４１の一端が伝動溝３８の中に位置しており、伝動軸３３の回転が第三ベルトプーリ３６と左側の第一ベルトプーリ１７とを連動させて回転させ、第二ベルト３７と第一ベルト１１の伝動により、第二ベルトプーリ２６と右側の第一ベルトプーリ１７とを回転させ、第二ベルトプーリ２６が従動軸１０を連動させて回転させ、リミットロッド２７の制限により、斜面円柱７が回転しなく、右側の第一ベルトプーリ１７の回転が連結ロッド１８を連動させて回転させ、これにより水晶ランプシェード２３を連動させて回転させる。
【００１７】
水晶ランプシェード２３が水晶ランプ２４との角度を変える時、モータ２２が作動して伝動軸３３を連動させて反時計回りに回転させ、第三ベルトプーリ３６が第二ベルトプーリ２６を連動させて反時計回りに回転させ、これにより斜面円柱７を連動させて回転させ、これにより左側の第一ベルトプーリ１７を上昇させ、伸縮バネ１２が圧縮され、連結板８が下降し、圧縮バネ９が復帰し、連結板８の下降が昇降ロッド６と昇降板５とを下降させ、これによりフラットキー２５を下方へ運動させ、フラットキー２５と受け溝３１とが同じ水平線に位置する時、フラットキー２５の下端が受け溝３１の中に入り、リミットロッド２７が再び弧状溝２８の端壁と接触する時、斜面円柱７が回転しなくなり、伝動軸３３の回転はフラットキー２５の伝動によりカム３０を回転させ、これにより移動板１９を左右運動させ、これにより連結ロッド１８の上端が一定の角度回転し、これにより水晶ランプシェード２３と水晶ランプ２４との間の角度を調整し、復帰する時にモータ２２が逆方向へ作動すれば装置全体を復帰させることができる。
【００１８】
本発明の有益効果は：本発明は構成が簡単で、操作が便利で、水晶ランプシェードの運動方式を自動的に切り替えることができ、これにより異なる照明効果を得られ、水晶ランプの実用性と興趣性を高め、機械の伝動により、作動効率を向上させることもできる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。